(57)【要約】【課題】見易い表示形態での表示を可能とするとともに、ユーザが容易に所望のパラメータ値を設定することができるようにする。【解決手段】シャッタスピード設定画面表示においては、スイッチ２〜１０に、シャッタスピードにおいてマニュアル設定可能なパラメータ値である「１／１０００」、「１／５００」・・・「５」、「１０」を割り当てる。そして、液晶モニタ１６に、スイッチ２〜１０と同一の形状であって、同一の位置関係からなるスイッチ画像２′〜１０′を表示するとともに、これらスイッチ画像２′〜１０′の近傍又はその内部に対応する前記スイッチ２〜１０に割り当てられたパラメータ値を表示する。スイッチ２〜１０のいずれかに対する操作があったならば、シャッタスピード設定処理を行って、操作されたスイッチに割り当てられているパラメータ値を設定する。【選択図】図１
2010085517.tif 000002
【特許請求の範囲】
【請求項１】
複数個の操作スイッチと、
複数種のパラメータと、パラメータ毎に設定可能な複数の選択肢とを記憶した記憶手段と、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を表示する表示手段と、
前記操作スイッチに対する操作に応じて、当該スイッチに割り当てられている前記選択肢を前記選択手段により選択されたパラメータの設定条件として保存する保存手段と、
を備えることを特徴とするパラメータ設定装置。
【請求項２】
複数個の操作スイッチと、
複数種のパラメータと、パラメータ毎に設定可能な複数の選択肢とを記憶した記憶手段と、
動作条件を設定する際に用いられる周囲環境要素の値を検出するセンサ手段と、
前記記憶手段に記憶されている複数種のパラメータからいずれかを選択する選択手段と、
この選択手段により選択されたパラメータに対応する選択肢を前記記憶手段から読み出す読出手段と、
この読出手段により読み出された選択肢を、前記センサ手段により検出されている値、又は直前まで保存されていた当該パラメータの選択肢の少なくとも一方に基づく順序で、前記複数個の操作スイッチの各々に割り当てる割当手段と、
この割当手段により割り当てられた前記複数個のスイッチに対する前記各選択肢の割当状態を表示する表示手段と、
前記操作スイッチに対する操作に応じて、当該スイッチに割り当てられている前記選択肢を前記選択手段により選択されたパラメータの設定条件として保存する保存手段と、
を備えることを特徴とするパラメータ設定装置。
【請求項３】
複数個の操作スイッチと、
複数種のパラメータと、パラメータ毎に設定可能な複数の選択肢とを記憶した記憶手段と、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を、推奨する度合いに応じた異なる表示形態で表示する表示手段と、
前記操作スイッチに対する操作に応じて、当該スイッチに割り当てられている前記選択肢を前記選択手段により選択されたパラメータの設定条件として保存する保存手段と、
を備えることを特徴とするパラメータ設定装置。
【請求項４】
前記推奨する度合いに応じた異なる表示形態には、明暗、濃淡、網掛け、表示色のいずれか少なくとも一つが含まれることを特徴とする請求項３記載のパラメータ設定装置。
【請求項５】
複数個の操作スイッチと、
複数種のパラメータと、パラメータ毎に設定可能な複数の選択肢とを記憶した記憶手段と、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を表示する表示手段と、
前記操作スイッチに対する操作に応じて、当該スイッチに割り当てられている前記選択肢を前記選択手段により選択されたパラメータの設定条件として保存する保存手段と、
前記操作スイッチに対する操作に応じて、前記選択手段に前記複数種のパラメータから選択されていないパラメータを選択させる選択制御手段と
を備えることを特徴とするパラメータ設定装置。
【請求項６】
前記表示手段は、前記操作スイッチと同一の形状であって、同一の位置関係からなるスイッチ画像を表示するとともに、前記各選択肢を各スイッチ画像に対応させて表示することにより、前記割当状態を表示することを特徴とする請求項１から５にいずれか記載のパラメータ設定装置。
【請求項７】
撮影手段を備え、
前記保存手段に保存される前記パラメータの設定条件は、前記撮影手段を制御するための撮影条件であることを特徴とする請求項１から６にいずれか記載のパラメータ設定装置。
【請求項８】
複数個の操作スイッチと、複数種のパラメータと、パラメータ毎に設定可能な複数の選択肢とを記憶した記憶手段、及び表示手段を備える機器が有するコンピュータを、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を前記表示手段に表示させる表示制御手段と、
前記操作スイッチに対する操作に応じて、当該スイッチに割り当てられている前記選択肢を前記選択手段により選択されたパラメータの設定条件として保存する保存手段と、
して機能させることを特徴とするパラメータ設定プログラム。
【請求項９】
複数個の操作スイッチと、複数種のパラメータと、パラメータ毎に設定可能な複数の選択肢とを記憶した記憶手段と、動作条件を設定する際に用いられる周囲環境要素の値を検出するセンサ手段、及び表示手段を備える機器が有するコンピュータを、
前記記憶手段に記憶されている複数種のパラメータからいずれかを選択する選択手段と、
この選択手段により選択されたパラメータに対応する選択肢を前記記憶手段から読み出す読出手段と、
この読出手段により読み出された選択肢を、前記センサ手段により検出されている値、又は直前まで保存されていた当該パラメータの選択肢の少なくとも一方に基づく順序で、前記複数個の操作スイッチの各々に割り当てる割当手段と、
この割当手段により割り当てられた前記複数個のスイッチに対する前記各選択肢の割当状態を前記表示手段に表示させる表示制御手段と、
前記操作スイッチに対する操作に応じて、当該スイッチに割り当てられている前記選択肢を前記選択手段により選択されたパラメータの設定条件として保存する保存手段と、
して機能させることを特徴とするパラメータ設定プログラム。
【請求項１０】
複数個の操作スイッチと、複数種のパラメータと、パラメータ毎に設定可能な複数の選択肢とを記憶した記憶手段、及び表示手段を備える機器が有するコンピュータを、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を、推奨する度合いに応じた異なる表示形態で前記表示手段に表示させる表示制御手段と、
前記操作スイッチに対する操作に応じて、当該スイッチに割り当てられている前記選択肢を前記選択手段により選択されたパラメータの設定条件として保存する保存手段と、
して機能させることを特徴とするパラメータ設定プログラム。
【請求項１１】
複数個の操作スイッチと、複数種のパラメータと、パラメータ毎に設定可能な複数の選択肢とを記憶した記憶手段、及び表示手段を備える機器が有するコンピュータを、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を前記表示手段に表示させる表示制御手段と、
前記操作スイッチに対する操作に応じて、当該スイッチに割り当てられている前記選択肢を前記選択手段により選択されたパラメータの設定条件として保存する保存手段と、
前記操作スイッチに対する操作に応じて、前記選択手段に前記複数種のパラメータから選択されていないパラメータを選択させる選択制御手段と
して機能させることを特徴とするパラメータ設定プログラム。
【請求項１２】
複数個の操作スイッチと、複数種のパラメータと、パラメータ毎に設定可能な複数の選択肢とを記憶した記憶手段、及び表示手段を備える機器におけるパラメータ設定方法であって、
前記記憶手段に記憶されている複数種のパラメータからいずれかを選択する選択工程と、
この選択工程により選択されたパラメータに対応する選択肢を前記記憶手段から読み出して、前記複数個の操作スイッチの各々に割り当てる割当工程と、
この割当工程により割り当てられた前記複数個のスイッチに対する前記各選択肢の割当状態を前記表示手段に表示させる表示制御工程と、
前記操作スイッチに対する操作に応じて、当該スイッチに割り当てられている前記選択肢を前記選択工程により選択されたパラメータの設定条件として保存する保存工程と、
を含むことを特徴とするパラメータ設定方法。
【請求項１３】
複数個の操作スイッチと、複数種のパラメータと、パラメータ毎に設定可能な複数の選択肢とを記憶した記憶手段と、動作条件を設定する際に用いられる周囲環境要素の値を検出するセンサ手段、及び表示手段を備える機器におけるパラメータ設定方法であって、
前記記憶手段に記憶されている複数種のパラメータからいずれかを選択する選択工程と、
この選択工程により選択されたパラメータに対応する選択肢を前記記憶手段から読み出す読出工程と、
この読出工程により読み出された選択肢を、前記センサ手段により検出されている値、又は直前まで保存されていた当該パラメータの選択肢の少なくとも一方に基づく順序で、前記複数個の操作スイッチの各々に割り当てる割当工程と、
この割当工程により割り当てられた前記複数個のスイッチに対する前記各選択肢の割当状態を前記表示手段に表示させる表示制御工程と、
前記操作スイッチに対する操作に応じて、当該スイッチに割り当てられている前記選択肢を前記選択工程により選択されたパラメータの設定条件として保存する保存工程と、
を含むことを特徴とするパラメータ設定方法。
【請求項１４】
複数個の操作スイッチと、複数種のパラメータと、パラメータ毎に設定可能な複数の選択肢とを記憶した記憶手段、及び表示手段を備える機器におけるパラメータ設定方法であって、
前記記憶手段に記憶されている複数種のパラメータからいずれかを選択する選択工程と、
この選択工程により選択されたパラメータに対応する選択肢を前記記憶手段から読み出して、前記複数個の操作スイッチの各々に割り当てる割当工程と、
この割当工程により割り当てられた前記複数個のスイッチに対する前記各選択肢の割当状態を、推奨する度合いに応じた異なる表示形態で前記表示手段に表示させる表示制御工程と、
前記操作スイッチに対する操作に応じて、当該スイッチに割り当てられている前記選択肢を前記選択工程により選択されたパラメータの設定条件として保存する保存工程と、
を含むことを特徴とするパラメータ設定方法。
【請求項１５】
複数個の操作スイッチと、複数種のパラメータと、パラメータ毎に設定可能な複数の選択肢とを記憶した記憶手段、及び表示手段を備える機器におけるパラメータ設定方法であって、
前記記憶手段に記憶されている複数種のパラメータからいずれかを選択する選択工程と、
この選択工程により選択されたパラメータに対応する選択肢を前記記憶手段から読み出して、前記複数個の操作スイッチの各々に割り当てる割当工程と、
この割当工程により割り当てられた前記複数個のスイッチに対する前記各選択肢の割当状態を前記表示手段に表示させる表示制御工程と、
前記操作スイッチに対する操作に応じて、当該スイッチに割り当てられている前記選択肢を前記選択工程により選択されたパラメータの設定条件として保存する保存工程と、
前記操作スイッチに対する操作に応じて、前記選択工程に前記複数種のパラメータから選択されていないパラメータを選択させる選択制御工程と
を含むことを特徴とするパラメータ設定方法。
【発明の詳細な説明】
【技術分野】
【０００１】
本発明は、各種パラメータを設定するためのパラメータ設定装置、パラメータ設定プログラム及びパラメータ設定方法に関する。
【背景技術】
【０００２】
従来、例えばデジタルカメラにおいては、オートモードとマニュアルモードとを選択的に設定可能であり、マニュアルモードにおいては各種パラメータ値をユーザが任意に設定することができる。このマニュアルモードにおける従来のパラメータ値の設定方式は、直接方式と間接方式とに大別することができる。
【０００３】
直接方式においては、複数種のパラメータ種を表示部に表示し、カーソルキーと決定キーの操作により、いずれかのパラメータが選択されると、当該パラメータにおいて設定可能な複数の値を表示する。これら複数種の値から、同様にカーソルキーと決定キーの操作によりいずれかが選択されると、この選択された値を当該パラメータのパラメータ値として保存する。
【０００４】
また、間接方式においては、技術的な事項であるパラメータの種類等を表示することなく、アンケート的な質問事項からなる複数の選択肢を表示する。この選択肢からいずれかが選択されると、その下層となる詳細な質問事項からなる複数の選択肢を表示し、この選択肢からいずれかが選択されるとその下層となるより詳細な質問事項を表示し、最終層の質問事項の選択が終了した時点で、パラメータ値を決定して保存する（例えば、特許文献１参照）。
【特許文献１】特開２００４−３１２５０８号公報
【発明の開示】
【発明が解決しようとする課題】
【０００５】
このように、直接方式及び間接方式のいずれにおいても、表示する項目の相違はあるももの、選択すべき事項を順次表示する階層構造表示を用い、ユーザのカーソルキーと決定キーによるスイッチ操作により選択させる。しかし、デジタルカメラ等の携帯型電子機器においては、表示部の表示面積には自ずと限界があることから、前記階層構造表示により選択肢のみが羅列表示されると、見にくい表示形態となってしまう。
【０００６】
また、ユーザは選択に際して、階層構造表示上でカーソルキーの操作によりカーソルを移動させて、所望の選択肢に合致させる煩雑な作業を行わなければならず、さらに、カーソルキーの操作後に決定キーの操作も行わなければならない。したがって、選択時におけるスイッチ操作が煩雑であるとともにスイッチ操作回数も多く、容易にパラメータの値を設定することできない。
【０００７】
本発明は、かかる従来の課題に鑑みてなされたものであり、見易い表示形態での表示を可能とするとともに、ユーザが容易に所望のパラメータ値を設定することができるパラメータ設定装置、パラメータ設定プログラム及びパラメータ設定方法を提供することを目的とする。
【課題を解決するための手段】
【０００８】
前記課題を解決するため請求項１記載の発明に係るパラメータ設定装置にあっては、複数個の操作スイッチと、複数種のパラメータと、パラメータ毎に設定可能な複数の選択肢とを記憶した記憶手段と、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を表示する表示手段と、前記操作スイッチに対する操作に応じて、当該スイッチに割り当てられている前記選択肢を前記選択手段により選択されたパラメータの設定条件として保存する保存手段と、を備えることを特徴とする。
【０００９】
また、請求項２記載の発明に係るパラメータ設定装置にあっては、複数個の操作スイッチと、複数種のパラメータと、パラメータ毎に設定可能な複数の選択肢とを記憶した記憶手段と、動作条件を設定する際に用いられる周囲環境要素の値を検出するセンサ手段と、前記記憶手段に記憶されている複数種のパラメータからいずれかを選択する選択手段と、この選択手段により選択されたパラメータに対応する選択肢を前記記憶手段から読み出す読出手段と、この読出手段により読み出された選択肢を、前記センサ手段により検出されている値、又は直前まで保存されていた当該パラメータの選択肢の少なくとも一方に基づく順序で、前記複数個の操作スイッチの各々に割り当てる割当手段と、この割当手段により割り当てられた前記複数個のスイッチに対する前記各選択肢の割当状態を表示する表示手段と、前記操作スイッチに対する操作に応じて、当該スイッチに割り当てられている前記選択肢を前記選択手段により選択されたパラメータの設定条件として保存する保存手段と、を備えることを特徴とする。
【００１０】
また、請求項３記載の発明に係るパラメータ設定装置にあっては、複数個の操作スイッチと、複数種のパラメータと、パラメータ毎に設定可能な複数の選択肢とを記憶した記憶手段と、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を、推奨する度合いに応じた異なる表示形態で表示する表示手段と、前記操作スイッチに対する操作に応じて、当該スイッチに割り当てられている前記選択肢を前記選択手段により選択されたパラメータの設定条件として保存する保存手段と、を備えることを特徴とする。
【００１１】
また、請求項４記載の発明に係るパラメータ設定装置にあっては、前記推奨する度合いに応じた異なる表示形態には、明暗、濃淡、網掛け、表示色のいずれか少なくとも一つが含まれることを特徴とする。
【００１２】
また、請求項５記載の発明に係るパラメータ設定装置にあっては、複数個の操作スイッチと、複数種のパラメータと、パラメータ毎に設定可能な複数の選択肢とを記憶した記憶手段と、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を表示する表示手段と、前記操作スイッチに対する操作に応じて、当該スイッチに割り当てられている前記選択肢を前記選択手段により選択されたパラメータの設定条件として保存する保存手段と、前記操作スイッチに対する操作に応じて、前記選択手段に前記複数種のパラメータから選択されていないパラメータを選択させる選択制御手段とを備えることを特徴とする。
【００１３】
また、請求項６記載の発明に係るパラメータ設定装置にあっては、前記表示手段は、前記操作スイッチと同一の形状であって、同一の位置関係からなるスイッチ画像を表示するとともに、前記各選択肢を各スイッチ画像に対応させて表示することにより、前記割当状態を表示することを特徴とする。
【００１４】
また、請求項７記載の発明に係るパラメータ設定装置にあっては、撮影手段を備え、前記保存手段に保存される前記パラメータの設定条件は、前記撮影手段を制御するための撮影条件であることを特徴とする。
【００１５】
また、請求項８記載の発明に係るパラメータ設定プログラムにあっては、複数個の操作スイッチと、複数種のパラメータと、パラメータ毎に設定可能な複数の選択肢とを記憶した記憶手段、及び表示手段を備える機器が有するコンピュータを、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を前記表示手段に表示させる表示制御手段と、前記操作スイッチに対する操作に応じて、当該スイッチに割り当てられている前記選択肢を前記選択手段により選択されたパラメータの設定条件として保存する保存手段と、して機能させることを特徴とする。
【００１６】
また、請求項９記載の発明に係るパラメータ設定プログラムにあっては、複数個の操作スイッチと、複数種のパラメータと、パラメータ毎に設定可能な複数の選択肢とを記憶した記憶手段と、動作条件を設定する際に用いられる周囲環境要素の値を検出するセンサ手段、及び表示手段を備える機器が有するコンピュータを、前記記憶手段に記憶されている複数種のパラメータからいずれかを選択する選択手段と、この選択手段により選択されたパラメータに対応する選択肢を前記記憶手段から読み出す読出手段と、この読出手段により読み出された選択肢を、前記センサ手段により検出されている値、又は直前まで保存されていた当該パラメータの選択肢の少なくとも一方に基づく順序で、前記複数個の操作スイッチの各々に割り当てる割当手段と、この割当手段により割り当てられた前記複数個のスイッチに対する前記各選択肢の割当状態を前記表示手段に表示させる表示制御手段と、前記操作スイッチに対する操作に応じて、当該スイッチに割り当てられている前記選択肢を前記選択手段により選択されたパラメータの設定条件として保存する保存手段と、して機能させることを特徴とする。
【００１７】
また、請求項１０記載の発明に係るパラメータ設定プログラムにあっては、複数個の操作スイッチと、複数種のパラメータと、パラメータ毎に設定可能な複数の選択肢とを記憶した記憶手段、及び表示手段を備える機器が有するコンピュータを、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を、推奨する度合いに応じた異なる表示形態で前記表示手段に表示させる表示制御手段と、前記操作スイッチに対する操作に応じて、当該スイッチに割り当てられている前記選択肢を前記選択手段により選択されたパラメータの設定条件として保存する保存手段と、して機能させることを特徴とする。
【００１８】
また、請求項１１記載の発明に係るパラメータ設定プログラムにあっては、複数個の操作スイッチと、複数種のパラメータと、パラメータ毎に設定可能な複数の選択肢とを記憶した記憶手段、及び表示手段を備える機器が有するコンピュータを、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を前記表示手段に表示させる表示制御手段と、前記操作スイッチに対する操作に応じて、当該スイッチに割り当てられている前記選択肢を前記選択手段により選択されたパラメータの設定条件として保存する保存手段と、前記操作スイッチに対する操作に応じて、前記選択手段に前記複数種のパラメータから選択されていないパラメータを選択させる選択制御手段として機能させることを特徴とする。
【００１９】
また、請求項１２記載の発明は、複数個の操作スイッチと、複数種のパラメータと、パラメータ毎に設定可能な複数の選択肢とを記憶した記憶手段、及び表示手段を備える機器におけるパラメータ設定方法であって、前記記憶手段に記憶されている複数種のパラメータからいずれかを選択する選択工程と、この選択工程により選択されたパラメータに対応する選択肢を前記記憶手段から読み出して、前記複数個の操作スイッチの各々に割り当てる割当工程と、この割当工程により割り当てられた前記複数個のスイッチに対する前記各選択肢の割当状態を前記表示手段に表示させる表示制御工程と、前記操作スイッチに対する操作に応じて、当該スイッチに割り当てられている前記選択肢を前記選択工程により選択されたパラメータの設定条件として保存する保存工程と、を含むことを特徴とする。
【００２０】
また、請求項１３記載の発明は、複数個の操作スイッチと、複数種のパラメータと、パラメータ毎に設定可能な複数の選択肢とを記憶した記憶手段と、動作条件を設定する際に用いられる周囲環境要素の値を検出するセンサ手段、及び表示手段を備える機器におけるパラメータ設定方法であって、前記記憶手段に記憶されている複数種のパラメータからいずれかを選択する選択工程と、この選択工程により選択されたパラメータに対応する選択肢を前記記憶手段から読み出す読出工程と、この読出工程により読み出された選択肢を、前記センサ手段により検出されている値、又は直前まで保存されていた当該パラメータの選択肢の少なくとも一方に基づく順序で、前記複数個の操作スイッチの各々に割り当てる割当工程と、この割当工程により割り当てられた前記複数個のスイッチに対する前記各選択肢の割当状態を前記表示手段に表示させる表示制御工程と、前記操作スイッチに対する操作に応じて、当該スイッチに割り当てられている前記選択肢を前記選択工程により選択されたパラメータの設定条件として保存する保存工程と、を含むことを特徴とする。
【００２１】
また、請求項１４記載の発明は、複数個の操作スイッチと、複数種のパラメータと、パラメータ毎に設定可能な複数の選択肢とを記憶した記憶手段、及び表示手段を備える機器におけるパラメータ設定方法であって、前記記憶手段に記憶されている複数種のパラメータからいずれかを選択する選択工程と、この選択工程により選択されたパラメータに対応する選択肢を前記記憶手段から読み出して、前記複数個の操作スイッチの各々に割り当てる割当工程と、この割当工程により割り当てられた前記複数個のスイッチに対する前記各選択肢の割当状態を、推奨する度合いに応じた異なる表示形態で前記表示手段に表示させる表示制御工程と、前記操作スイッチに対する操作に応じて、当該スイッチに割り当てられている前記選択肢を前記選択工程により選択されたパラメータの設定条件として保存する保存工程と、を含むことを特徴とする。
【００２２】
また、請求項１５記載の発明は、複数個の操作スイッチと、複数種のパラメータと、パラメータ毎に設定可能な複数の選択肢とを記憶した記憶手段、及び表示手段を備える機器におけるパラメータ設定方法であって、前記記憶手段に記憶されている複数種のパラメータからいずれかを選択する選択工程と、この選択工程により選択されたパラメータに対応する選択肢を前記記憶手段から読み出して、前記複数個の操作スイッチの各々に割り当てる割当工程と、この割当工程により割り当てられた前記複数個のスイッチに対する前記各選択肢の割当状態を前記表示手段に表示させる表示制御工程と、前記操作スイッチに対する操作に応じて、当該スイッチに割り当てられている前記選択肢を前記選択工程により選択されたパラメータの設定条件として保存する保存工程と、前記操作スイッチに対する操作に応じて、前記選択工程に前記複数種のパラメータから選択されていないパラメータを選択させる選択制御工程とを含むことを特徴とする。
【発明の効果】
【００２３】
本発明によれば、ユーザが所望のパラメータ値を設定する際に、見易い表示形態で表示することができるとともに、迅速かつ容易に所望のパラメータ値を設定することができる
【発明を実施するための最良の形態】
【００２４】
以下、本発明の一実施の形態を図に従って説明する。
（第１の実施の形態）
図１は、本発明の各実施の形態に共通するデジタルカメラの背面図であり、本実施の形態における後述のステップＳ５０２の処理内容を示す図でもある。このデジタルカメラ１の上面部にはシャッタボタン１１が設けられ、背面部には液晶モニタ１６が設けられている。この液晶モニタ１６の側部には、矩形状の第１〜第４スイッチ２〜５が設けられているとともに、上カーソルスイッチ６と下カーソルスイッチ７、左カーソルスイッチ８と右カーソルスイッチ９とを一体に有するリング状のスイッチ、及びこのリング状のスイッチの中央部に配置された決定スイッチ１０が設けられている。
【００２５】
図２は、前記デジタルカメラ１の電気的構成の概略を示すブロック構成図である。デジタルカメラ１は、レンズ１２等とともに撮像手段を構成するＣＣＤ１７により撮像した画像をＪＰＥＧ形式に変換する等の画像処理機能を備えたＭＰＵ１９を中心に構成されている。ＣＣＤ１７の受光面には、前記レンズ１２、フォーカスレンズ２０、絞り２１を通過して被写体の光学像が結像される。フォーカスレンズ２０はＡＦモータ等からなる駆動機構２２に保持されており、ＭＰＵ１９からの制御信号によりＡＦドライバー２３が出力する駆動信号が駆動機構２２に供給されることにより光軸上を前後に移動する合焦動作を行う。絞り２１は、ＭＰＵ１９からの制御信号に基づき絞り駆動部２４が発生する駆動信号により駆動し、ＣＣＤ１７に入射する被写体像の光量を調整する。
【００２６】
また、ＭＰＵ１９には、タイミング信号を発生するＴＧ（Timing Generator ）２５が接続されており、ＴＧ２５が発生したタイミング信号に基づきＶドライバー２６（垂直方向ドライバー）がＣＣＤ１７を駆動し、それに伴いＣＣＤ１７により被写体像の輝度に応じたアナログの撮像信号が出力されユニット回路１８へ送られる。ユニット回路１８は、ＣＣＤ１７から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ１７の出力信号は、ここで黒レベルを合わせてサンプリングされデジタル信号としてＭＰＵ１９に送られる。送られたデジタル信号（撮像信号）はＤＲＡＭ２７に一時保存されるとともに、ＭＰＵ１９によって各種の画像処理が施された後、最終的には圧縮された映像信号としてフラッシュメモリ（ＦＬＡＳＨ）２８に保存される。保存された映像信号は、必要に応じてＭＰＵ１９に読み出され、伸長処理、輝度信号及び色信号の付加等の処理を経てデジタルビデオ信号やアナログビデオ信号に生成される。
【００２７】
さらに、ＭＰＵ１９にはＭＲＯＭ２９と、電源回路３０、図１に示した各種のスイッチ２〜１０等を含む操作キー部３１、前記液晶モニタ１６、測光センサ１４及び閃光装置１５が接続されている。ＭＲＯＭ２９は、後述するフローチャートに示すＭＰＵ１９の動作プログラムが記録されたプログラムＲＯＭである。
【００２８】
また、ＭＲＯＭ２９には、シャッタスピード、絞り、測光方式、ＩＳＯ感度、ホワイトバランス各々に関して、マニュアル設定可能な複数のパラメータ値が格納されており、撮影時の適正な露出値（ＥＶ）に対応する絞り値（Ｆ）とシャッタスピードとの組み合わせを示すプログラム線図を構成するプログラムＡＥデータ等も格納されている。
【００２９】
ＭＰＵ１９は、内蔵するＲＡＭをワーキングメモリとして前記動作プログラムに従い動作することにより、デジタルカメラ１の各部を制御し、また、前記プログラム線図に従って前記ＣＣＤ１７の電荷蓄積時間や、前記絞り２１の開放度、前記ユニット回路１８のゲイン調整アンプ（ＡＧＣ）のゲイン設定等を行う。ＭＰＵ１９が設定した電荷蓄積時間はシャッタパルスとして、ＴＧ２５を介してＶドライバー２６に供給され、これに従いＶドライバー２６がＣＣＤ１７を駆動することにより電荷蓄積時間すなわち露光時間が制御される。つまりＣＣＤ１７は電子シャッタとして機能する。また、ＭＲＯＭ２９に格納された動作プログラムには、オートフォーカス制御に関するプログラムが含まれており、かかるプログラムに基づきＭＰＵ１９は、前記フォーカスレンズ２０を駆動させピント合わせ（オートフォーカス）を行う。
【００３０】
液晶モニタ１６は、撮影モードにおいては逐次撮像された画像をスルー画像として表示し、再生モードにおいては前記フラッシュメモリ２８に記録された画像データから生成されたアナログビデオ信号に基づく映像を表示する。閃光装置１５は、映像取り込みキーの操作時（撮影時）に必要に応じて駆動され補助光を発する。
【００３１】
なお、前述したＭＲＯＭ２９に記憶されているプログラムデータ等は、その記録内容の保持が可能であれば、別途固定的に設けたもの、若しくは脱着自在に装着可能なＩＣカード等の他の記録媒体に記録される構成にしてもよく、更に、前記プログラムデータ等をパソコン等の他の機器から供給可能な構成としてもよい。
【００３２】
以上の構成に係る本実施の形態において、電源スイッチをオン操作するとＭＰＵ１９は、ＭＲＯＭ２９に記憶されているプログラムに従って、図３のフローチャートに示す処理を実行する。すなわち、ＭＰＵ１９は先ずイニシャライズ処理を行って、内蔵するＲＡＭやＤＲＡＭ２７内の不要データを消去する（ステップＳ１）。次に、撮影モードが設定されているか否かを判断し（ステップＳ２）、再生モード等の撮影モード以外のその他のモードが設定されている場合には、当該その他のモード処理に移行する（ステップＳ３）。
【００３３】
撮影モードが設定されている場合には、オートモードとマニュアルモードのいずれが設定されているかを判断する（ステップＳ４）。マニュアルモードが設定されている場合には、後述するマニュアル設定処理を実行した後（ステップＳ５）、ステップＳ６に進む。オートモードが設定されている場合には、直接ステップＳ６に進み、シャッタボタン１１が押下されたか否かを判断する。シャッタボタン１１が押下されない場合には、ステップＳ７〜Ｓ１０の処理を行うことなく、ステップＳ１１に進む。
【００３４】
シャッタボタン１１が押下されたならば、ＡＦ（オートフォーカス）処理を実行する（ステップＳ７）。すなわち、ＭＰＵ１９は、ＭＲＯＭ２９に格納されているオートフォーカス制御に関するプログラムに基づきＡＦドライバー２３を制御し、駆動機構２２によりフォーカスレンズ２０を駆動させ駆動させピント合わせ（合焦）を行う
【００３５】
また、設定モードがオートモードとマニュアルモードのいずれであるかを判断する（ステップＳ８）。設定モードがオートモードである場合には、測光センサ１４の測定値や前記プログラムＡＥデータ等に応じて、各種パラメータ値を自動設定した後（ステップＳ９）、ステップＳ１０に進む。設定モードがマニュアルモードである場合には、このステップＳ９の処理を実行することなくステップＳ１０に進む。しかし、マニュアルモードである場合には、後述するようにステップＳ５において各種パラメータ値が手動設定されている。
【００３６】
したがって、ステップＳ１０においては、オートモードが設定されている場合には、ステップＳ９で自動設定されたパラメータ設定値に応じた撮像・記録処理を実行し、マニュアルモードが設定されている場合には、ステップＳ５で手動設定されたパラメータ設定値に応じた撮像・記録処理を実行する。そして、この撮像・記録処理を実行により、ＣＣＤ１７の受光面に結像された被写体の光学像を、最終的に圧縮された映像信号としてフラッシュメモリ２８に保存する。引き続き、その他の処理を実行し（ステップＳ１１）、電源がオフされたか否かを判断して（ステップＳ１２）、電源オフとされるまでステップＳ２からの処理を繰り返す。
【００３７】
図４は、前記マニュアル設定処理（ステップＳ５）の詳細を示すサブルーチンである。マニュアルモードにおいて、シャッタスピードが既に決定済みであるか否かを判断する（ステップＳ５０１）。シャッタスピードが未だ決定されていない場合（ＭＰＵ１９内蔵のＲＡＭに記憶されていない場合）には、シャッタスピード設定画面表示を実行する（ステップＳ５０２）。
【００３８】
このシャッタスピード設定画面表示においては、前記スイッチ２〜１０（図１参照）に、シャッタスピードにおいてマニュアル設定可能なパラメータ値である「１／１０００」、「１／５００」・・・「５」、「１０」を割り当てる。そして、図１に示すように、前記スイッチ２〜１０の左隣に設けられている液晶モニタ１６に、スイッチ２〜１０と同一の形状であって、同一の位置関係からなるスイッチ画像２′〜１０′を表示する。さらに、これらスイッチ画像２′〜１０′の近傍又はその内部に対応する前記スイッチ２〜１０に割り当てられたパラメータ値を表示する。これにより、スイッチ画像２′の近傍にはパラメータ値「１／１０００」が、スイッチ画像３′の近傍にはパラメータ値「１／５００」が、・・・スイッチ画像９′の近傍にはパラメータ値「５」が、スイッチ画像１０′の内部にはパラメータ値「１０」が各々表示されることとなる。
【００３９】
次に、スイッチ２〜１０のいずれかに対する操作があったか否かを判断する（ステップＳ５０３）。スイッチ２〜１０のいずれかに対する操作があったならば、シャッタスピード設定処理を行って、操作されたスイッチに割り当てられているパラメータ値をマニュアル設定されたシャッタスピードとして、ＭＰＵ１９内蔵のＲＡＭに記憶する（ステップＳ５０４）。
【００４０】
また、シャッタスピードが既に決定済みである場合には、絞りが決定済みであるか否かを判断する（ステップＳ５０５）。絞りが未だ決定されていない場合（ＭＰＵ１９内蔵のＲＡＭに記憶されていない場合）には、絞り設定画面表示を実行する（ステップＳ５０６）。
【００４１】
この絞り設定画面表示においては、前記スイッチ２〜１０（図１参照）に、絞りにおいてマニュアル設定可能なパラメータ値を割り当て、前述と同様に前記スイッチ２〜１０の左隣に設けられている液晶モニタ１６に、スイッチ２〜１０と同一の形状であって、同一の位置関係からなるスイッチ画像２′〜１０′を表示するとともに、これらスイッチ画像２′〜１０′の近傍又はその内部に対応する前記スイッチ２〜１０に割り当てられたパラメータ値を表示する。
【００４２】
次に、スイッチ２〜１０のいずれかに対する操作があったか否かを判断する（ステップＳ５０７）。スイッチ２〜１０のいずれかに対する操作があったならば、絞り設定処理を行って、操作されたスイッチに割り当てられているパラメータ値をマニュアル設定された絞りとして、ＭＰＵ１９内蔵のＲＡＭに記憶する（ステップＳ５０８）。
【００４３】
また、絞りが既に決定済みである場合には、測光方式が決定済みであるか否かを判断する（ステップＳ５０９）。測光方式が未だ決定されていない場合（ＭＰＵ１９内蔵のＲＡＭに記憶されていない場合）には、測光方式設定画面表示を実行する（ステップＳ５１０）。
【００４４】
この測光方式設定画面表示においては、前記スイッチ２〜１０（図１参照）に、マニュアル設定可能な測光方式を割り当て、前述と同様に前記スイッチ２〜１０の左隣に設けられている液晶モニタ１６に、スイッチ２〜１０と同一の形状であって、同一の位置関係からなるスイッチ画像２′〜１０′を表示するとともに、これらスイッチ画像２′〜１０′の近傍又はその内部に対応する前記スイッチ２〜１０に割り当てられた測光方式を表示する。
【００４５】
次に、スイッチ２〜１０のいずれかに対する操作があったか否かを判断する（ステップＳ５１１）。スイッチ２〜１０のいずれかに対する操作があったならば、測光方式設定処理を行って、操作されたスイッチに割り当てられている測光方式をマニュアル設定された測光方式として、ＭＰＵ１９内蔵のＲＡＭに記憶する（ステップＳ５１２）。
【００４６】
なお、マニュアル設定可能な測光方式の種類数がスイッチ２〜１０よりも少ない場合には、例えば３種類のみである場合には、スイッチ２、３、４のみに測光方式を割り当て、これら測光方式が割り当てられたスイッチ２、３、４に対応するスイッチ画像２′、３′、４′のみを表示するようにすればよい。
【００４７】
また、測光方式が既に決定済みである場合には、ＩＳＯ感度が決定済みであるか否かを判断する（ステップＳ５１３）。ＩＳＯ感度が未だ決定されていない場合（ＭＰＵ１９内蔵のＲＡＭに記憶されていない場合）には、ＩＳＯ感度設定画面表示を実行する（ステップＳ５１４）。
【００４８】
このＩＳＯ感度設定画面表示においては、前記スイッチ２〜１０（図１参照）に、ＩＳＯ感度においてマニュアル設定可能なパラメータ値を割り当て、前述と同様に前記スイッチ２〜１０の左隣に設けられている液晶モニタ１６に、スイッチ２〜１０と同一の形状であって、同一の位置関係からなるスイッチ画像２′〜１０′を表示するとともに、これらスイッチ画像２′〜１０′の近傍又はその内部に対応する前記スイッチ２〜１０に割り当てられたパラメータ値を表示する。
【００４９】
次に、スイッチ２〜１０のいずれかに対する操作があったか否かを判断する（ステップＳ５１５）。スイッチ２〜１０のいずれかに対する操作があったならば、ＩＳＯ感度設定処理を行って、操作されたスイッチに割り当てられているパラメータ値をマニュアル設定されたＩＳＯ感度として、ＭＰＵ１９内蔵のＲＡＭに記憶する（ステップＳ５１６）。
【００５０】
また、ＩＳＯ感度が既に決定済みである場合には、ホワイトバランスが決定済みであるか否かを判断する（ステップＳ５１７）。ホワイトバランスが未だ決定されていない場合（ＭＰＵ１９内蔵のＲＡＭに記憶されていない場合）には、ホワイトバランス設定画面表示を実行する（ステップＳ５１８）。
【００５１】
このホワイトバランス設定画面表示においては、前記スイッチ２〜１０（図１参照）に、ホワイトバランスにおいてマニュアル設定可能なパラメータ値を割り当て、前述と同様に前記スイッチ２〜１０の左隣に設けられている液晶モニタ１６に、スイッチ２〜１０と同一の形状であって、同一の位置関係からなるスイッチ画像２′〜１０′を表示するとともに、これらスイッチ画像２′〜１０′の近傍又はその内部に対応する前記スイッチ２〜１０に割り当てられたパラメータ値を表示する。
【００５２】
次に、スイッチ２〜１０のいずれかに対する操作があったか否かを判断する（ステップＳ５１９）。スイッチ２〜１０のいずれかに対する操作があったならば、ホワイトバランス設定処理を行って、操作されたスイッチに割り当てられているパラメータ値をマニュアル設定されたホワイトバランスとして、ＭＰＵ１９内蔵のＲＡＭに記憶する（ステップＳ５２０）。
【００５３】
したがって、以上の処理により、パラメータ値等はスイッチ画像２′〜１０′とともに、該スイッチ画像２′〜１０′に対応して表示されることから、階層構造表示により選択肢のみが文字で羅列表示された場合のように見にくい表示形態となってしまうことがなく、見易い表示形態で表示を行うことができる。
【００５４】
しかも、スイッチ画像２′〜１０′は、スイッチ２〜１０と同一の形状であって、同一の位置関係で表示されることから、ユーザは割り当てられたパラメータ値とスイッチ画像２′〜１０′との割り当て関係を容易に把握することができる。
【００５５】
また、従来のようにカーソルキーにより選択操作を行い、さらに決定キーで選択を決定する煩雑な操作を行う必要もなく、スイッチ２〜１０に対するワンタッチ操作により、容易にパラメータ値等を設定することができる。したがって、デジタルカメラにおけるマニュアル設定に不慣れな初心者であっても、マニュアル設定での撮影が容易となる。
【００５６】
また、スイッチ操作が検出されると（ステップＳ５０３、Ｓ５０７、Ｓ５１１、Ｓ５１５、Ｓ５１９→ＹＥＳ）、未だ決定されていないパラメータの種類（ステップＳ５０１、Ｓ５０５、Ｓ５０９、Ｓ５１３、Ｓ５１７→ＮＯ）を順次選択して画面表示する（ステップＳ５０２、Ｓ５０６、Ｓ５１０、Ｓ５１４、Ｓ５１８）ことから、マニュアル設定可能なパラメータの全種に対して確実にマニュアル設定を行うことができる。
【００５７】
（第２の実施の形態）
図５は、本発明の第２の実施の形態におけるステップＳ５０２の処理内容を示す図である。本実施の形態のシャッタスピード設定画面表示においては、前記スイッチ２〜１０（図１参照）に、シャッタスピードにおいてマニュアル設定可能なパラメータ値である「１／１０００」、「１／５００」・・・「５」、「１０」を、測光センサ１４により検出されている値に基づきオート設定されたシャッタスピードや、直前までＭＰＵ１９内蔵のＲＡＭに保存されていたシャッタスピードに基づく順序で割り当てる。
【００５８】
つまり、この例においては「１／１２５」がオート設定されたシャッタスピード、又は前回の撮影で使用した直前までＭＰＵ１９内蔵のＲＡＭに保存されていたシャッタスピードであって最も推奨する最推奨シャッタスピードである。また、最推奨シャッタスピード「１／１２５」に続く、「１／２５」、「１／２５０」、「１／２」・・・が推奨順のシャッタスピードである。そして、この最推奨シャッタスピード「１／１２５」を左上端部のスイッチ２に割り当て、他のスイッチ３〜１０に順次推奨順にシャッタスピードを割り当てる。
【００５９】
そして、図５に示すように、前記スイッチ２〜１０の左隣に設けられている液晶モニタ１６に、スイッチ２〜１０と同一の形状であって、同一の位置関係からなるスイッチ画像２′〜１０′を表示するとともに、これらスイッチ画像２′〜１０′の近傍又はその内部に対応する前記スイッチ２〜１０に割り当てられたパラメータ値を表示する。これにより、スイッチ画像２′の近傍にはパラメータ値「１／１２５」が、スイッチ画像３′の近傍にはパラメータ値「１／２５」が、・・・スイッチ画像９′の近傍にはパラメータ値「１／１０００」が、スイッチ画像１０′の内部にはパラメータ値「５」が各々表示されることとなる。
【００６０】
なお、ステップＳ５０２以外のステップＳ５０６、Ｓ５１０、Ｓ５１４、Ｓ５１８においても、前述と同様に最推奨パラメータ値をスイッチ２に割り当て、他のスイッチ３〜１０には推奨順序でパラメータ値を割り当てる。
【００６１】
したがって、本実施の形態によれば、最推奨パラメータ値が所定のスイッチに割り当てられ、他のスイッチには推奨順序でパラメータ値が割り当てられることから、初心者であっても、最適なパラメータ値を容易に設定することができる。
【００６２】
（第３の実施の形態）
図６は、本発明の第３の実施の形態におけるステップＳ５１４の処理内容を示す図である。本実施の形態のＩＳＯ感度設定画面表示においては、前記スイッチ２〜１０（図１参照）に、ＩＳＯ感度においてマニュアル設定可能なパラメータ値である「６４００」、「３２００」・・・「２００」、「１００」を割り当てる。なお、本例のＩＳＯ感度においては、パラメータ値の数（７種）がスイッチ数（９個）が少ないので、スイッチ６、７にはパラメータ値が割り当てられていない。
【００６３】
そして、図６に示すように、前記スイッチ２〜１０の左隣に設けられている液晶モニタ１６に、スイッチ２〜１０と同一の形状であって、同一の位置関係からなるスイッチ画像２′〜１０′を表示するとともに、これらスイッチ画像６′、７′を除くスイッチ画像２′〜１０′の近傍又はその内部に対応する前記スイッチ２〜１０に割り当てられたパラメータ値を表示する。これにより、スイッチ画像２′の近傍にはパラメータ値「６４００」が、スイッチ画像３′の近傍にはパラメータ値「３２００」が、・・・スイッチ画像９′の近傍にはパラメータ値「１００」が、スイッチ画像１０′の内部にはパラメータ値「２００」が各々表示されることとなる。
【００６４】
さらに、本実施の形態においては、図示のように、最も推奨する単一の最推奨パラメータ値のスイッチ画像を点滅表示させるとともに、次に推奨する複数のパラメータ値である準推奨パラメータ値のスイッチ画像を明暗、濃淡、網掛け、表示色のいずれかにより表示する。すなわち、図６に示した例においては、最推奨パラメータ値の「８００」に対応するスイッチ画像５′を点滅表示させるとともに、次の準推奨パラメータ値「１６００」、「４００」に対応するスイッチ画像４′、８′を通常表示させ、さらに次の準推奨パラメータ値「６４００」、「３２００」、「１００」、「２００」に対応するスイッチ画像２′、３′、９′、１０′を明暗くしたり、薄くしたり、網掛けしたり、表示色を変えたりして表示する。
【００６５】
なお、ステップＳ５１４以外のステップＳ５０２、Ｓ５０６、Ｓ５１０、Ｓ５１４、Ｓ５１８においても、最推奨パラメータ値と準推奨パラメータ値に対応するスイッチ画像を前述と同様の表示形態で表示する。
【００６６】
したがって、本実施の形態によれば、最推奨パラメータ値のスイッチ画像が所定の表示形態で表示されるとともに、準推奨パラメータ値のスイッチ画像が異なる所定の表示形態で表示される。よって、初心者であっても、スイッチ画像の表示形態を参照することにより、最適なパラメータ値を容易に設定することができる。
【００６７】
なお、実施の形態においては、本発明をデジタルカメラに適用した場合を示したが、これに限ることなく、適宜の電子機器に適用し得ることは勿論である。
【図面の簡単な説明】
【００６８】
【図１】本発明第１の実施の形態におけるステップＳ５０２の処理内容を示す図である。
【図２】本発明の一実施の形態に係るデジタルカメラの回路構成を示すブロック図である。
【図３】本発明の一実施の形態における処理手順を示すフローチャートである。
【図４】マニュアル設定処理（ステップＳ５）の詳細を示すサブルーチンである。
【図５】本発明第２の実施の形態におけるステップＳ５０２の処理内容を示す図である。
【図６】本発明第３の実施の形態におけるステップＳ５１４の処理内容を示す図である。
【符号の説明】
【００６９】
１    デジタルカメラ
２〜１０    スイッチ
２′〜１０′    スイッチ画像
１１    シャッタボタン
１２    レンズ
１４    測光センサ
１６    液晶モニタ
１７    ＣＣＤ
１８    ユニット回路
１９    ＭＰＵ
２０    フォーカスレンズ
２２    駆動機構
２３    ＡＦドライバー
２４    駆動部
２７    ＤＲＡＭ
２８    フラッシュメモリ
２９    ＭＲＯＭ
３０    電源回路
３１    操作キー部
【図１】
2010085517.tif 000003
【図２】
2010085517.tif 000004
【図３】
2010085517.tif 000005
【図４】
2010085517.tif 000006
【図５】
2010085517.tif 000007
【図６】
2010085517.tif 000008